【事件の表示】
　上記当事者間の登録第１６３３９２０号商標の登録取消審判事件について，次のとおり審決する。
【結　論】
　本件審判の請求は，成り立たない。
　審判費用は，請求人の負担とする。
【理　由】
第１　本件商標
　本件登録第１６３３９２０号商標（以下「本件商標」という。）は，「ＶＩＴＲＥＸ」の文字を横書きしてなり，昭和５２年５月１０日に登録出願，第１０類に属する商標登録原簿に記載のとおりの商品を指定商品として，同５８年１１月２５日に設定登録され，その後，３回にわたり商標権の存続期間の更新登録がされ，平成１５年１２月３日に，指定商品を第９類「理化学機械器具，測定機械器具，写真機械器具，映画機械器具，光学機械器具」及び第１０類「医療用機械器具」とする指定商品の書換の登録がされたものであり，その商標権は，現に有効に存続している。
　なお，本件審判の請求の登録は，平成２８年１１月２日になされた。
第２　請求人の主張
　請求人は，本件商標の指定商品中，第１０類「医療用機械器具（「歩行補助器・松葉づえ」を除く。）」について登録を取り消す，審判費用は被請求人の負担とするとの審決を求め，その理由を，本件商標は，その指定商品中，本件審判の請求に係る指定商品について，継続して３年以上，日本国内において，商標権者，専用使用権者又は通常使用権者のいずれによっても使用されていないから，その登録は，商標法第５０条第１項の規定により取り消されるべきである旨述べ，証拠方法として甲第１号証及び甲第２号証を提出した。
　なお，請求人は，被請求人の答弁に対して何ら弁駁していない。
第３　被請求人の主張
　被請求人は，結論同旨の審決を求めると答弁し，その理由を要旨次のように述べ，証拠方法として，乙第１号証から乙第１２号証（枝番号を含む。）を提出した。
１　使用の事実
　本件商標の商標権者（以下，単に「商標権者」という。）は，本件審判の請求の登録前３年以内（以下「要証期間内」という。）に，本件商標を，本件請求に係る指定商品中，第１０類「医療用機械器具（「歩行補助器・松葉づえ」を除く。）」について使用している。
（１）商標の使用者
　商品カタログ（乙１）の最終ページ及び請求書（乙２の２，乙３の２，乙４の２，乙５の２，乙６の３，乙７の２，乙８の２）の発行人欄には，それぞれ，商標権者の名称及び住所が表示されている。
（２）使用に係る商品
　ア　商品カタログ（乙１）４頁及び５頁には，請求に係る指定商品「医療用機械器具（「歩行補助器・松葉づえ」を除く。）」に属すると考えられる「Ｍｉｃｒｏ　ｈａｅｍａｔｏｃｒｉｔ　ｔｕｂｅｓ（臨床用のマイクロヘマトクリット毛細管）」とその種類，並びに，各商品の品番（「１６０２１３」等）が記載されている。
　なお，「ヘマトクリット」とは，「医療現場等において貧血の種類や度合を診断するために行われる，一定量の血液中に含まれる赤血球の割合を調べる検査」を意味する。
　イ　注文書及び請求書（乙２〜乙８）には，それぞれ以下の商品が記載されていることから，商標権者が該当の商品の注文を受け，当該注文に応じて商品を販売したことがわかる。
（ア）乙第２号証の１及び乙第２号証の２
　ａ　「１６０２２３　ＨＥＭＡＴＯＣＲＩＴ　ＢＲＩＳ（Ｐｌａｉｎ）」（乙１の５頁に記載の「Ａｒｔｉｃｌｅ　ｎｏ．１６０２１３　Ｓｔａｎｄａｒｄ　Ｍｉｃｒｏｈａｅｍａｔｏｃｒｉｔ　Ｐｌａｉｎ」に相応する又はこれに類似する商品と見られる。）
　ｂ　「１４００１３　ＷＡＸ　ＰＬＡＴＥ　ＶＩＴＲＥＸ」（乙１の５頁に記載のヘマトクリット毛細管を封じるための「Ａｒｔｉｃｌｅ　ｎｏ．１４００１３　Ｗａｘ　ｐｌａｔｅ　２　ｘ　５」に相応する商品である。）
（イ）乙第３号証の１及び乙第３号証の２
　ａ　「１６１３２３　Ｈａｅｍａｔｏｃｒｉｔ　ＮＲＩＳ」（乙１の５頁に記載の「Ａｒｔｉｃｌｅ　ｎｏ．１６１３１３　Ｓｔａｎｄａｒｄ　Ｍｉｃｒｏｈａｅｍａｔｏｃｒｉｔ　Ｓｏｄｉｕｍ　Ｈｅｐ．」に相応する又はこれに類似する商品と見られる。）
　ｂ　「１６７３１３　Ｈａｅｍａｔｏｃｒｉｔ　ＥＤＴＡ」（乙１の５頁に記載の「Ａｒｔｉｃｌｅ　ｎｏ．１６７３１３　Ｓｔａｎｄａｒｄ　Ｍｉｃｒｏｈａｅｍａｔｏｃｒｉｔ　ＥＤＴＡ　Ｈｅｐ．」に相応する商品である。）
（ウ）乙第４号証の１及び乙第４号証の２，乙第７号証の１及び乙第７号証の２
　　　「１６７３１３　Ｈａｅｍａｔｏｃｒｉｔ　ＥＤＴＡ」（乙１の５頁に記載の「Ａｒｔｉｃｌｅ　ｎｏ．１６７３１３　Ｓｔａｎｄａｒｄ　Ｍｉｃｒｏｈａｅｍａｔｏｃｒｉｔ　ＥＤＴＡ　Ｈｅｐ．」に相応する又はこれに類似する商品である。）
（エ）乙第５号証の１及び乙第５号証の２，乙第８号証の１及び乙第８号証の２
　　　「１４００１３　ＷＡＸ　ＰＬＡＴＥ　ＶＩＴＲＥＸ」（乙１の５頁に記載のヘマトクリット毛細管を封じるための「Ａｒｔｉｃｌｅ　ｎｏ．１４００１３　Ｗａｘ　ｐｌａｔｅ　２　ｘ　５」に相応する商品である。）
（オ）乙第６号証の１から乙第６号証の３
　ａ　「１６０２２３　ＨＥＭＡＴＯＣＲＩＴ　ＢＲＩＳ（Ｐｌａｉｎ）」（乙１の５頁に記載の「Ａｒｔｉｃｌｅ　ｎｏ．１６０２１３　Ｓｔａｎｄａｒｄ　Ｍｉｃｒｏｈａｅｍａｔｏｃｒｉｔ　Ｐｌａｉｎ」に相応する又はこれに類似する商品と見られる。）
　ｂ　「１６１３２３　Ｈａｅｍａｔｏｃｒｉｔ　ＮＲＩＳ」（乙１の５頁に記載の「Ａｒｔｉｃｌｅ　ｎｏ．１６１３１３　Ｓｔａｎｄａｒｄ　Ｍｉｃｒｏｈａｅｍａｔｏｃｒｉｔ　Ｓｏｄｉｕｍ　Ｈｅｐ．」に相応する又はこれに類似する商品と見られる。）
　ｃ　「１６７３１３　Ｈａｅｍａｔｏｃｒｉｔ　ＥＤＴＡ」（乙１の５頁に記載の「Ａｒｔｉｃｌｅ　ｎｏ．１６７３１３　Ｓｔａｎｄａｒｄ　Ｍｉｃｒｏｈａｅｍａｔｏｃｒｉｔ　ＥＤＴＡ　Ｈｅｐ．」に相応する商品である。）
　ウ　東京硝子器械株式会社（ＴＧＫ）のウェブサイト「ＴＧＫ　ＳＴＡＴＩＯＮ」の商品紹介ページ（乙９の１〜乙９の４）には，商標権者の製造・販売に係る商品（ａ）「０６８３−１４−５０−１５　Ｖ．　ヘマトクリット毛細管プレイン　１００入」（品番１６０２），（ｂ）「０６８３−１４−５０−１６　Ｖ．　ヘマトクリット毛細管ヘパリン　１００入」（品番１６１３），（ｃ）「０６８３−１４−５０−１８　Ｖ．　ヘマトクリット毛細管　ＥＴＤＡ−２Ｋ　１００入」（品番１６７３），（ｄ）「０６８３−１４−５０−２０　ヘマトクリット毛細管シール用パテ　１０入」（品番１４００）が，本件商標「ＶＩＴＲＥＸ」を付した毛細管スタンドと共に紹介されており，各商品ページの右上には，「２０１７年度カタログｐ．２２３に掲載」「２０１６年度カタログｐ．２２０に掲載」「２０１５年度カタログｐ．２２８に掲載」との記載があることを鑑みれば，これらの商品が２０１５年度から現在に至るまで，当該ウェブサイト及び東京硝子器械株式会社のカタログにおいて掲載され，取り扱われてきたことが伺い知れる。
　なお，同ウェブサイトで公開されている２０１５年１２月２５日付の「テージーケー　ＮＥＷＳ　Ｎｏ．５２６」（乙９の５）に価格の訂正情報として「（２０１６年度カタログ）２２０頁，ヘマトクリット毛細管（Ａ）ビトレックス」として，「商品コード　６８３−１４−５０−１５，規格　１６０２」「商品コード　６８３−１４−５０−１６，規格　１６１３」「商品コード　６８３−１４−５０−１８，規格　１６７３」「商品コード　６８３−１４−５０−２０，規格　１４００」と上記（ａ）ないし（ｄ）の商品と対応する商品コードが記載されていること，及び上記（ａ）ないし（ｄ）の商品において，品番（乙９の５では「規格」番号）とされている「１６０２」「１６１３」「１６７３」「１４００」は，「商品カタログ」（乙１）及び「注文書」「請求書」（乙２〜乙８）に記載されている４ケタ（又は頭４ケタ）の商品番号と符合していることから，これらの商品が商標権者の製造・販売に係る商品であることは容易に推測される。
　エ　「ＭＥＤＩＣＡＬ　ＳＵＰＰＲＹ　ＧｏｏＤｓ」という医療用品のオンラインショップのウェブサイト（乙１０）でも，本件商標が付された「ヘマトクリット毛細管」が「トップ＞＞検査室＞＞血液・尿・糞便・皮膚＞＞ヘマトクリット毛細管」というカテゴリーの下，販売されており，注文コード中の「１６１３２３」「１６０２２３」の品番は，「注文書」「請求書」（乙２〜乙８）に記載されている本件商標の商標権者及び譲受人である「ＩＮＵＩ　ＬＩＭＩＴＥＤ」が使用している商品番号４ケタ（又は頭４ケタ）と符合しており，また，同注文コード中の「０６８３−１４−５０−１６」，「０６８３−１４−５０−１５」及び「０６８３−１４−５０−２０」の品番は，東京硝子器械株式会社のウェブサイト（乙９の１，乙９の２，乙９の４）で同社が使用している商品番号と符合しており，本ウェブサイトで取り扱われている商品が，紛れもなく商標権者の製造・販売に係る商品であることがわかる。
　オ　なお，乙第９号証の１ないし乙第９号証の４及び乙第１０号証における本件商標の使用が，商標権者等による使用と認められることは，平成２４年（行ケ）第１０３１０号（平成２５年３月２５日判決言渡）の判決において説示されているとおりである（乙１１）。
　カ　商標権者の取扱いに係る医療用機械器具は，「ヘマトクリット毛細管」関連商品だけではなく，その他にも「Ｂｌｏｏｄ　ｇａｓ　ｃａｐｉｌｌａｒｙ　ｔｕｂｅｓ（血液ガス用毛細管）」（乙１の１０及び１１頁）や，「ｌａｎｃｅｔ（ランセット／採血器具）」（乙１の２２〜３３頁）などがある。オンライン上の見本市サイト（乙１２）では，本件商標「ＶＩＴＲＥＸ」を付した「ランセット」（「Ｖｉｔｒｅｘ　ＳＡＦＥ　Ｐｒｅｓｓ　ＣＡＲＥ」及び「Ｖｉｔｒｅｘ　ＳＡＦＥ　Ｌｉｔｅ　ＣＡＲＥ」）の情報が得られる。
　キ　上述のとおり，商標権者は，本件商標を少なくとも「ヘマトクリット毛細管」について使用していることは明らかであり，その他，乙第１号証，乙第１２号証の１，及び乙第１２号証の２において示されているとおり，「血液ガス用毛細管」や「ランセット」についても使用している様子が伺える。そして，これらの商標権者の取扱いに係る「血液検査用又は血液採取用器具若しくはそれらの部品・附属品」が「医療用機械器具（「歩行補助器・松葉づえ」を除く。）」の範疇に属することは明らかである。
（３）使用に係る商標
　乙第１号証，乙第２号証の２，乙第３号証の２，乙第４号証の２，乙第５号証の２，乙第６号証の３，乙第７号証の２，乙第８号証の２，乙第９号証の５，乙第１０号証，乙第１２号証の１，及び乙第１２号証の２には，それぞれ本件商標又は本件商標と社会通念上同一と認められる商標が記載されている。
（４）使用時期
　ア　以下の各乙号証（注文書及び請求書）の日付は以下のとおりである。
　乙第２号証の１の注文書の日付は「Ｍａｙ　２６，２０１５」であり，これに対応する乙第２号証の２の請求書日付が「１５．０６．２５」（同請求書の中央上部に「ＦＲＯＭ　ＯＵＲ　ＦＡＣＴＯＲＹ　２０１５．０６．２５」と記載されていることから，請求書の日付は「２０１５年６月２５日」を意味することがわかる。以下の請求書において同じ。）となっている。
　乙第３号証の１の注文書の日付は「Ｊｕｎｅ　２６，２０１５」であり，これに対応する乙第３号証の２の請求書日付が「１５．０８．２６」となっている。
　乙第４号証の１の注文書の日付は「Ｊｕｌｙ　３０，２０１５」であり，これに対応する乙第４号証の２の請求書日付が「１５．０９．０４」となっている。
　乙第５号証の１の注文書の日付は「Ｎｏｖｅｍｂｅｒ　２４，２０１５」であり，これに対応する乙第５号証の２の請求書日付が「１５．１１．２６」となっている。
　乙第６号証の１の注文書の日付は「Ｄｅｃｅｍｂｅｒ　１７，２０１５」，乙第６号証の２の注文書の日付は「Ｊａｎｕａｒｙ　２９，２０１６」であり，これらに対応する乙第６号証の３の請求書日付が「１６．０２．２４」となっている。
　乙第７号証の１の注文書の日付は「Ｍａｙ　２，２０１６」であり，これに対応する乙第７号証の２の請求書日付が「１６．０６．１６」となっている。
　乙第８号証の１の注文書の日付は「Ｊｕｎｅ　２９，２０１６」であり，これに対応する乙第８号証の２の請求書日付が「１６．０７．０５」となっている。
　イ　東京硝子器械株式会社のウェブサイト（乙９の１〜乙９の４）における本件商標が付された商品の紹介・説明ページにおいても，「２０１５年度カタログｐ２２８に掲載」「２０１６年度カタログｐ２２０に掲載」と記載されており，これら本件商標が付された商品が，２０１５年及び２０１６年においても取り扱われていたことが推測される。
　ウ　よって，上記ア及びイに記載の日付は，要証期間内であるから，要証期間内に本件商標の使用行為があったことは明らかである。
（５）使用場所
　「注文書」（乙２の１，乙３の１，乙４の１，乙５の１，乙６の１，乙６の２，乙７の１，乙８の１）の中央上部に記載されている注文者が「ＩＮＵＩ　ＬＩＭＩＴＥＤ，２２８−１０３，Ｓａｃｈｉｇａｗａ，Ｎｉｓｈｉ−ｋｕ，Ｓａｉｔａｍａ−ｓｈｉ　３３１−００６４，Ｊａｐａｎ」であること，及び注文書に対応する「請求書」（乙２の２，乙３の２，乙４の２，乙５の２，乙６の３，乙７の２，乙８の２）の宛先が，上述の注文書に記載された注文者と同一の名称・住所となっていることから，商標権者が，日本国内において本件商標を「医療用機械器具（「歩行補助器・松葉づえ」を除く。）」について使用したことがわかる。
　また，乙第９号証の１ないし乙第９号証の５及び乙第１０号証も，明らかに本件商標が日本において使用されていることを示す証左というべきである。
２　むすび
　以上のとおり，要証期間内に日本国内において，商標権者が，その請求に係る指定商品「医療用機械器具（「歩行補助器・松葉づえ」を除く。）」について，本件商標を使用していることは明らかである。
第４　当審の判断
１　被請求人提出の証拠及び主張によれば，以下の事実を認めることができる。
（１）「注文書（ＯＲＤＥＲ）」（乙２の１，乙３の１，乙４の１，乙５の１，乙６の１，乙６の２，乙７の１，乙８の１）には，以下のアからエの記載が確認できる。
　ア　注文者の名称である「ＩＮＵＩ　ＬＩＭＩＴＥＤ」及びその住所である「２２８−１０３，Ｓａｃｈｉｇａｗａ，Ｎｉｓｈｉ−ｋｕ，Ｓａｉｔａｍａ−ｓｈｉ　３３１−００６４，Ｊａｐａｎ」の記載。
　イ　宛先として，商標権者の名称である「ＶＩＴＲＥＸ　Ｍｅｄｉｃａｌ　Ａ／Ｓ」の記載。
　ウ　注文の日付として，それぞれ「Ｍａｙ　２６，２０１５」（乙２の１），「Ｊｕｎｅ　２６，２０１５」（乙３の１），「Ｊｕｌｙ　３０，２０１５」（乙４の１），「Ｎｏｖｅｍｂｅｒ　２４，２０１５」（乙５の１），「Ｄｅｃｅｍｂｅｒ　１７，２０１５」（乙６の１），「Ｊａｎｕａｒｙ　２９，２０１６」（乙６の２），「Ｍａｙ　２，２０１６」（乙７の１）及び「Ｊｕｎｅ　２９，２０１６」（乙８の１）の記載。
　エ　注文番号（ＯＲＤＥＲ　Ｎｏ．）として，それぞれ「ＭＬ／２９１／１５：」（乙２の１），「ＭＬ／２９２／１５：」（乙３の１），「ＭＬ／２９３／１５：」（乙４の１），「ＭＬ／２９４／１５：」（乙５の１），「ＭＬ／２９５／１５：」（乙６の１），「ＭＬ／２９６／１６：」（乙６の２），「ＭＬ／２９７／１６：」（乙７の１）及び「ＭＬ／２９８／１６：」（乙８の１）の記載。
　オ　注文欄に，それぞれ「Ｎｏ．１６０２２３　ＢＲＩＳ　Ｐｌａｉｎ　１００，０００　ｐｃｓ．」及び「Ｎｏ．１４００１３　ＷＡＸ　ＰＬＡＴＥ　５０　ｂｏｘｅｓ」（乙２の１），「Ｎｏ．１６１３２３　ＮＲＩＳ　Ｈｅｐａｒｉｎｉｚｅｄ　１００，０００　ｐｃｓ．」及び「Ｎｏ．１６７３１３　２Ｋ　ＥＤＴＡ　２０，０００　ｐｃｓ．」（乙３の１），「Ｎｏ．１６７３　２Ｋ　ＥＤＴＡ　２０，０００　ｐｃｓ．」（乙４の１），「Ｎｏ．１４００１３　ＷＡＸ　ＰＬＡＴＥ　１００　ｂｏｘｅｓ」（乙５の１），「Ｎｏ．１６０２２３　ＢＲＩＳ　Ｐｌａｉｎ　１００，０００　ｐｃｓ．」（乙６の１），「Ｎｏ．１６１３２３　ＮＲＩＳ　Ｈｅｐａｒｉｎｉｚｅｄ　１００，０００　ｐｃｓ．」及び「Ｎｏ．１６７３　Ｋ２　ＥＤＴＡ　２０，０００　ｐｃｓ．」（乙６の２），「Ｎｏ．１６７３１３　Ｋ２　ＥＤＴＡ　３０，０００　ｐｃｓ．」（乙７の１），「Ｎｏ．１４００１３　ＷＡＸ　ＰＬＡＴＥ　２００　ｂｏｘｅｓ」（乙８の１）の記載。
（２）「請求書（ＩＮＶＯＩＣＥ）」（乙２の２，乙３の２，乙４の２，乙５の２，乙６の３，乙７の２，乙８の２）には，以下のアからカの記載が確認できる。
　ア　商標権者の名称である「ＶＩＴＲＥＸ　Ｍｅｄｉｃａｌ　ａ／ｓ」及びその住所である「Ｖａｓｅｋａｒ　６−８　ＤＫ　２７３０　Ｈｅｒｌｅｖ（Ｄｅｎｍａｒｋ）」の記載。
　イ　宛先として，「ＩＮＵＩ　ＬＩＭＩＴＥＤ」及び「２２８−１０３，ＳＡＣＨＩＧＡＷＡ，ＮＩＳＨＩ−ＫＵ，ＳＡＩＴＡＭＡ−ＳＨＩ　３３１−００６４　Ｊａｐａｎ」の記載があり，これは上記（１）アの注文者の名称及び住所と一致する。
　ウ　請求の日付として，それぞれ「１５．０６．２５」（乙２の２），「１５．０８．２６」（乙３の２），「１５．０９．０４」（乙４の２），「１５．１１．２６」（乙５の２），「１６．０２．２４」（乙６の３），「１６．０６．１６」（乙７の２）及び「１６．０７．０５」（乙８の２）の記載があり，これらの日付は上記（１）ウの注文の日付後，数日から２月程度の日付である。
　エ　参照（ｒｅｆ）として，それぞれ「ＭＬ／２９１／１５」（乙２の２），「ＭＬ／２９２／１５」（乙３の２），「ＭＬ／２９３／１５」（乙４の２），「ＭＬ／２９４／１５」（乙５の２），「ＭＬ／２９５／１５」及び「ＭＬ／２９６／１６」（乙６の３），「ＭＬ／２９７／１６」（乙７の２）及び「ＭＬ／２９８／１６」（乙８の２）の記載があり，これらは上記（１）エの注文番号と一致する。
　オ　番号（ＮＯ．），商品（ＡＲＴＩＣＬＥ），数量（ＱＵＡＮＴＩＴＹ）として，それぞれ「１６０２２３」，「ＨＥＭＡＴＯＣＲＩＴ　ＢＲＩＳ」，「１００．０００　ＰＣＳ」及び「１４００１３」，「ＷＡＸ　ＰＬＡＴＥ　ＶＩＴＲＥＸ」，「５０　ＢＯＸ」（乙２の２），「１６１３２３」，「ＨＥＭＡＴＯＣＲＩＴ　ＮＲＩＳ」，「１０１．０００　ＰＣＳ」及び「１６７３１３」，「ＨＥＭＡＴＯＣＲＩＴ　ＥＤＴＡ」，「２０．０００　ＰＣＳ」（乙３の２），「１６７３１３」，「ＨＥＭＡＴＯＣＲＩＴ　ＥＤＴＡ」，「２０．０００　ＰＣＳ」（乙４の２），「１４００１３」，「ＷＡＸ　ＰＬＡＴＥ　ＶＩＴＲＥＸ」，「１００　ＢＯＸ」（乙５の２），「１６０２２３」，「ＨＥＭＡＴＯＣＲＩＴ　ＢＲＩＳ」，「１０４．０００　ＰＣＳ」，「１６１３２３」，「ＨＥＭＡＴＯＣＲＩＴ　ＮＲＩＳ」，「１００．０００　ＰＣＳ」及び「１６７３１３」，「ＨＥＭＡＴＯＣＲＩＴ　ＥＤＴＡ」，「２０．０００　ＰＣＳ」（乙６の３），「１６７３１３」，「ＨＥＭＡＴＯＣＲＩＴ　ＥＤＴＡ」，「３０．０００　ＰＣＳ」（乙７の２）及び「１４００１３」，「ＷＡＸ　ＰＬＡＴＥ　ＶＩＴＲＥＸ」，「２００　ＢＯＸ」（乙８の２）の記載があり，これらは上記（１）オに記載の商品番号，商品名及び注文数量が概ね一致する。
　カ　「請求書（ＩＮＶＯＩＣＥ）」（乙２の２，乙３の２，乙４の２，乙５の２，乙６の３，乙７の２，乙８の２）右上に，線の中央に細い白抜き線の入った黒文字で表されている「ＶＩＴＲＥＸ」の文字からなる標章の記載。
２　上記１で認定した事実によれば，商標権者は，要証期間内である２０１５年（平成２７年）６月２５日から２０１６年（平成２８年）７月５日の間に，埼玉県さいたま市所在の「ＩＮＵＩ　ＬＩＭＩＴＥＤ」からの注文書に応じて，後日該注文に対応した請求書を作成し，注文主である「ＩＮＵＩ　ＬＩＭＩＴＥＤ」に送付していると推認できる。
　そして，当該請求書の「商品」欄に記載された「ＨＥＭＡＴＯＣＲＩＴ　ＢＲＩＳ」，「ＨＥＭＡＴＯＣＲＩＴ　ＮＲＩＳ」等の商品名中の「ＨＥＭＡＴＯＣＲＩＴ」の文字は，「ヘマトクリット毛細管」を意味し，当該「ヘマトクリット毛細管」は，本件審判の請求に係る商品「医療用機械器具（「歩行補助器・松葉づえ」を除く。）」に含まれる商品である。
　また，当該請求書の右上に表された「ＶＩＴＲＥＸ」の文字からなる標章は，本件商標と同一のつづり字であることから，本件商標と社会通念上同一の商標といえる。
３　これより，商標権者は，本件審判の請求の登録前３年以内に日本国内において，本件請求に係る指定商品に含まれる商品に関する取引書類に，本件商標と社会通念上同一と認められる商標を付して，これらを頒布したものと認められ，商標権者の当該行為は，商標法第２条第３項第８号に定める標章の「使用」に該当する。
　一方，請求人は，前記第３の被請求人の答弁に対し，何ら弁駁するところがない。
４　むすび
　以上のとおりであるから，商標権者は，本件審判の請求の登録前３年以内である平成２７年６月から平成２８年７月の間に，日本国内において，本件審判の請求に係る指定商品に含まれる商品「ヘマトクリット毛細管」について，本件商標と社会通念上同一と認められる標章の使用を証明したということができる。
　したがって，本件商標は，商標法第５０条の規定により，本件審判の請求に係る商品について，その登録を取り消すことはできない。
　よって，結論のとおり審決する。